(57)【要約】【課題】  画像処理装置の通信に用いられるＬＡＮケーブルやパラレルケーブル等の通信ケーブルから放射されるノイズを低減することを目的とする。【構成】  本発明は、外部に露出した通信手段に接続された通信ケーブルの余分な部分を本体内に収納する収納手段を備える。この収納手段は、収納された通信ケーブルから放射されたノイズが収納手段外に出ないようにするためにシールドされている。また、通信ケーブルから放射されるノイズ量を確実に低減させるために、上記収納手段に通信ケーブルが収納されていない場合や、上記収納手段の蓋が開いている場合、警告を報知したり、画像処理装置の機能を停止させたりするようにしてもよい。【選択図】図１
2005153327.tif 000002
【特許請求の範囲】
【請求項１】
外部に露出された通信手段と、
上記通信手段に接続された外部機器との通信に用いる通信ケーブルの一部を本体内に収納し、且つ上記通信ケーブルから放射されたノイズを遮断する収納手段を備えたことを特徴とする画像処理装置。
【請求項２】
上記収納手段にケーブルが収納されているか否かを検知する収納検知手段と、
ケーブルの収納が検知されないときに、警告を報知する警告手段を備えた請求項１に記載の画像処理装置。
【請求項３】
上記収納手段の蓋の開閉を検知する開閉検知手段と、
開が検知されたときに、警告を報知する警告手段を備えた請求項１に記載の画像処理装置。
【発明の詳細な説明】
【技術分野】
【０００１】
本発明は、プリンタ、ファクシミリ、複写機、スキャナ、複合機等の画像処理装置に関する。
【背景技術】
【０００２】
近年、画像処理装置は、ネットワークを介して他の装置と接続されて利用されることが多くなっている。この接続には、ＬＡＮケーブルやパラレルケーブル等が用いられる。これらの通信ケーブルは、画像処理装置に備えられたプリンタボードやＬＡＮボードなどに接続される。
【０００３】
特開２００３−８７４６５号公報に記載されているように、プリンンタボードやＬＡＮボードからノイズが外部に放射されることを防ぐために、プリンタボードやＬＡＮボードは、シールド材で覆われた空間に収納することが行われている。
【特許文献１】特開２００３−８７４６５号公報
【発明の開示】
【発明が解決しようとする課題】
【０００４】
しかし、ノイズの放射は、プリンタボードやＬＡＮボードだけでなく、ＬＡＮケーブルやパラレルケーブル等からも行われる。通常は、ＬＡＮケーブルやパラレルケーブルは、ノイズ放射防止用のシールドテープが巻かれる以外ほとんどノイズ対策を施されずに、オフィスの床や壁に露出されて配置される。これらの通信ケーブルで装置間を接続する際には、装置間を確実に接続できるように、一般的に長めの通信ケーブルが用いられる。そのため、接続後に通信ケーブルに余分な部分ができるので、一般的に、通信ケーブルの余分な部分は、邪魔とならないように束ねられて床に放置される。
【０００５】
しかし、放射されるノイズ量は、通信ケーブルの長さに比例するので、長めの通信ケーブルを用いることはノイズ量を低減する観点からは望ましくない。
【０００６】
また、ノイズに関する規制は各国で定められており、長めの通信ケーブルを用いると、各国で定められた法規制に抵触する可能性が高くなる。
【０００７】
そこで、本発明は、通信ケーブルから外部に放射されるノイズ量が低い画像処理装置を提供することを目的とする。
【課題を解決するための手段】
【０００８】
本発明は、外部に露出した通信手段に接続された通信ケーブルの余分な部分を本体内に収納する収納手段を備える。この収納手段は、収納された通信ケーブルから放射されたノイズが収納手段外に出ないようにするために、金属製の板で構成されている。
【０００９】
また、通信ケーブルから放射されるノイズ量を確実に低減させるために、上記収納手段に通信ケーブルが収納されていない場合、警告を報知したり、画像処理装置の機能を停止させたりすることができるように、通信ケーブルの収納を検知する収納検知手段を画像処理装置に設けてもよい。
【００１０】
上記収納手段の蓋が開いている場合、シールド効果が低下するので、上記収納手段の蓋の開閉を検知して、開いている場合、警告を報知したり、画像処理装置の機能を停止させたりすることができるように、蓋の開閉を検知する開閉検知手段を画像処理装置に設けてもよい。
【発明の効果】
【００１１】
外部に露出した通信手段に接続された通信ケーブルがノイズの遮断される収納手段に収納されることで、通信ケーブルから外部に放射されるノイズ量を低減することができる。そのため、画像処理装置は、各国で定められた法規制に適用することができる。
【００１２】
また、通信手段を外部に露出させることで、通信手段に対する通信ケーブルの抜挿が容易となる。
【発明を実施するための最良の形態】
【００１３】
（実施の形態１）
本発明の画像処理装置１００は、図１に示すように、外部に露出した通信手段１０１を備える。この通信手段１０１は、例えば通信ケーブルを差し込むためのコネクタなどである。上記画像処理装置１００と通信ケーブル１０３を用いて接続される外部機器１１０も上記通信手段１０１と同様の通信手段１１１を備える。
【００１４】
画像処理装置１００と外部機器１１０を通信ケーブルで接続する際には、サービスマンは、まず通信ケーブル１０３の両端を上記通信手段１０１と上記通信手段１１０に接続する。通信ケーブル１０３が長すぎる場合、サービスマンは、余分な長さだけ通信ケーブル１０３を収納手段１０２に収納する。
【００１５】
上記収納手段１０２は、図１に示すように、画像処理装置１００の上記通信手段１０１の下部に内蔵されて設けられている。上記収納手段１０２は、金属製の板でできており、収納手段１０２内で発生するノイズが収納手段１０２によって遮断される。
【００１６】
図２に示すように、上記収納手段１０２の内部は、上下に２つのフック２０１、２０２が設けられている。サービスマンは、上下に２つのフック２０１、２０２に余分な長さだけ通信ケーブル１０３を巻き掛ける。通信ケーブル１０３を巻きかけることで、上記収納手段１０２から外部機器１１０までの通信ケーブル１０３の長さを通信ケーブル１０３で画像処理装置１００と外部機器１１０とを接続可能な必要最低限の長さに調整する。
【００１７】
通信ケーブル１０３を巻きかけると、サービスマンは、上記収納手段１０２の蓋２０５を閉める。図１に示すように蓋２０５の上下に２つの切欠き２０３、２０４が設けられている。蓋２０５を閉じる際に、サービスマンは、捲き掛けた通信ケーブル１０３の両端を上下の切欠き２０３、２０４内を通るようにして蓋２０５を閉じる。
【００１８】
このように、画像処理装置１００と外部機器１１０の接続に対して上記通信ケーブル１０３の余分な部分を上記収納手段１０２に収納すると、通信ケーブル１０３の余分な部分から放射するノイズは、上記収納手段１０２から外部に漏れない。そのため、通信ケーブル１０３の余分な部分を上記収納手段１０２に収納すると、従来のように通信ケーブルの余分な部分を束ねて床に放置する場合に比べて通信ケーブル１０３から外部に放射されるノイズを低減することができる。
【００１９】
（実施の形態２）
通信ケーブル１０３から外部に放射されるノイズの低減は、上記収納手段１０２に通信ケーブル１０３が収納されていなければ効果が発揮されない。通信ケーブル１０３が上記収納手段１０２に収納されているかどうかを検知する収納検知手段３０１を画像処理装置１００に設けて、画像処理装置１００が通信ケーブル１０３の収納を検知するようにしてもよい。
【００２０】
例えば、上側のフック２０１に掛かる荷重を検知する荷重センサ３０４を設け、この荷重センサ３０４が所定重量以上の荷重を検知したかどうかに基づいて、上記収納検知手段３０１に、通信ケーブル１０３が収納されたかどうかを判断させる。
【００２１】
収納されていないと上記収納検知手段３０１が判断した場合、サービスマン等に警告を報知できるように画像処理装置１００を構成してもよい。
【００２２】
例えば、上記収納検知手段３０１が通信ケーブル１０３の収納が検知できない場合、警告手段３０２は、画像処理装置１００に設けられた表示パネル等に警告を表示する。
【００２３】
また、上記収納手段１０２の蓋２０５が開いていると、上記収納手段１０２に収納された通信ケーブルの部分から外部に放射されるノイズが遮断されない。蓋２０５の開閉状態を検知する開閉検知手段３０３を画像処理装置１００に設けて、画像処理装置１００が蓋２０５の開閉を検知するようにしてもよい。
【００２４】
例えば、上記開閉検知手段２０５が蓋２０５の開いている状態を検知した場合、上記警告手段３０２は、上記表示パネルに警告を表示する。
【図面の簡単な説明】
【００２５】
【図１】本発明の画像処理装置の外観図である。
【図２】収納手段の要部概略図である。
【図３】実施の形態２の機能ブロック図である。
【符号の説明】
【００２６】
１００  画像処理装置
１０１  通信手段
１０２  収納手段
１０３  通信ケーブル
２０１、２０２  フック
２０３、２０４  切欠き
３０１  収納検知手段
３０２  警告手段
３０３  開閉検知手段
【図１】
2005153327.tif 000003
【図２】
2005153327.tif 000004
【図３】
2005153327.tif 000005